(57)【要約】      （修正有）【課題】故人を偲ぶ思い出が強く呼びおこされることになるために慰霊が有意義となる個性のある骨箱や骨壷等の納骨包装体を提供する。【解決手段】骨箱や骨袋等の納骨包装体Ｐにおいて、故人の声を録音するボイスカード５又は録画する動画カード、及びそれらの再生装置１４が具備されている。ボイスカード５には、再生装置１４として同面状に薄形電池９や薄型スピーカ１１、スイッチ１３等を設けてあり、骨箱１または骨袋の側面にそのボイスカード５を保管するポケット８と、再生のための差込口とを設けてある。【効果】故人が生前に話している声または活動している遺影を見ることができることから、故人を偲ぶ思い出が強く呼びおこされることになるために、再会したかのように懐かしく力が湧き、単にお参りするだけにとどまらず故人の個性に接し、慰霊が有意義となる。【選択図】図１
0003217979.tif 000002
【実用新案登録請求の範囲】
【請求項１】
骨箱や骨袋等の納骨包装体において、故人の声を録音するボイスカード又は録画する動画カード、及びそれらの再生装置が具備されていることを特徴とする納骨包装体。
【請求項２】
ボイスカードには、再生装置として同面状に薄形電池や薄型スピーカ、スイッチ等を設けてあり、骨箱または骨袋の側面にそのボイスカードを保管するポケットと、再生のための差込口とを設けてあることを特徴とする請求項１記載の納骨包装体。
【請求項３】
骨箱または骨袋に、電源取入口または電池装填口を設け、さらに下端部には、ボイスカードまたは動画カードを起動させる再生装置を設け、側面には、これらカードを保管するポケットと、再生のための装填口を設けたことを特徴とする請求項１記載の納骨包装体。
【考案の詳細な説明】
【技術分野】
【０００１】
この考案は、納骨の際に使用する骨箱または骨袋等の納骨包装体に関する。
【背景技術】
【０００２】
納骨は一般的にお墓においてなされるが、墓には多数の個人の遺骨が共に納められる共同墓や供養塔、さらに屋内に配置される納骨堂など、普通の墓の他に多様な形態がある。普通の墓は、故人と家族的な縁のつながりのある者がお参りに来るが、特に最近では、少子高齢化の影響で跡継ぎがない、墓地を手に入れることが困難である等の事情から、共同利用型式の墓が多く、寂しく個人的色彩が薄くなっている。また、故人との繋がりの強い自宅納骨も増えている。
【考案の概要】
【考案が解決しようとする課題】
【０００３】
従来の納骨包装体は、骨箱の場合は身と蓋とからなる木製であり、骨袋では巾着絞りのひも付きの袋であることが多く、いずれも化粧模様で慰霊に配慮したデザインであるが、故人を想い起こすものではなかった。つまり故人を回想する要素がなく孤独でわびしさが感じられた。特に共同墓的な墓では思い出に乏しくなるという問題があった。
【０００４】
この考案は、上記のような実情に鑑みて、故人を偲ぶ思い出が強く呼びおこされることになるために慰霊が有意義となる個性のある骨箱や骨壷等の納骨包装体を提供することを課題とした。
【課題を解決するための手段】
【０００５】
上記の課題を解決するために、この考案は、骨箱や骨袋等の納骨包装体において、故人の声を録音するボイスカード又は録画する動画カード、及びそれらの再生装置が具備されていることを特徴とする納骨包装体を提供する。
【０００６】
納骨包装体を上記のように構成したから、ポケットにカード付きで墓前又は仏前に安置して使用する。そして、ローソクや線香に火をつけて慰霊することになるが、さらに、ポケットからカードを取り出して、再生装置を起動させると、録音の場合は、故人の声をなつかしく聞くことができ、録画の場合は遺影を見て再会したことのように感動することになる。
【考案の効果】
【０００７】
以上説明したように、この考案の納骨包装体によれば、故人が生前に話している声または活動している遺影を見ることができることから、故人を偲ぶ思い出が強く呼びおこされることになるために、再会したかのように懐かしく力が湧き、単にお参りするだけにとどまらず故人の個性に接し、慰霊が有意義となるという優れた効果がある。
【図面の簡単な説明】
【０００８】
【図１】この考案を骨箱に実施した例を示す斜視図である。
【図２】この考案を骨袋に実施した例を示す斜視図である。
【図３】この考案を骨箱に実施した別の例を示す斜視図である。
【考案を実施するための形態】
【０００９】
この明細書では、考案の対象は、骨箱や骨袋等としたが、特異の包装体を除外するものではなく、新規な包装体であることもあり得る。また、骨壷の有無は問わないものとする。湿気を避けるために、骨壷を使用しないこともあるからである。また、共同でお骨を土に返す自然葬では、分解しないで土に還らない骨壷が使用されないという。
【実施例１】
【００１０】
図１は、一実施例を示したもので、その納骨包装体Pは、骨壷３を納める骨箱１である場合であって、ボイスカード５を納めるポケット８が側面に設けられる。なお、ボイスカード５は予め録音したものを編集して転換されるが、故人が生前に気分よく話している機会をとらえて予備の録音をしておく。
【００１１】
骨箱１は、身と蓋とからなる木製であって、身には、下端部に仕切壁７を設けることにより二重底であって、その下に引出し１２が設けられる。引出し１２には、故人が愛用していた時計やアクセサリー、家族あての手紙等の遺品が保管される。ポケット８にボイスカード５が入り切らないときは余りカード５も引出し１２に入れることができて便利である。
【００１２】
ボイスカード５は、これに再生装置１４が装備されており、それは基板の一面に薄型電池９、音声ICチップ１０、薄型スピーカ１１、押圧スイッチ１３等を張りつけ、図示しない面シートで被覆したもので、慰霊に際してポケット８から取り出し、スイッチ１３を押して故人の声をカードで聴くことができる。
【実施例２】
【００１３】
図２は、骨袋２において実施した一例を示す。つまり納骨包装体Pが骨袋２の場合である。前記実施例では、再生がカード自体でなされるが、当該実施例の場合、メモリー専用のボイスカード６が使用され、その代わり骨袋２に再生装置１７が装備される。そして、骨袋２は、底部2aが樹脂を含浸させることにより強化した壁であって、強化壁で囲まれる装置室が形成され、そこに再生装置１７が構成される。再生装置１７について、１９はボイスカード６の差込口、２１はスピーカ、２３は押ボタンスイッチ、２５は電池収納口である。
【実施例３】
【００１４】
図３は、納骨包装体Pとしての骨箱１に音声を含む動画再生装置１８を設けた場合であって、容量のあるSDメモリーカードが動画カード７に用いられ、動画再生装置１８が骨箱１の下端底部に内装され、十分な電源を取るために、電源コード２７の差込口として電源取入口２９が設けられる。３１がスイッチ、３３がスピーカ、３５が画面、３７が動画カード７の装填口である。
【００１５】
スイッチ３１で起動して動画カード７を装填口３７に差し入れると、録画されていた故人が画面３５に映し出され、同時にスピーカ３３から元気であったころの声がリアルに発せられる。
【符号の説明】
【００１６】
P  納骨包装体
１  骨箱
２  骨袋
４  骨壷
５，６  ボイスカード
７  動画カード
８  ポケット
１７  音声再生装置
１８  動画再生装置
１９  差込口
２９  電源取入口
３９  動画カードの装填口
【図１】
0003217979.tif 000003
【図２】
0003217979.tif 000004
【図３】
0003217979.tif 000005